(57)【特許請求の範囲】
【請求項１】
少なくとも１つのスナップ接続部（２１）によって互いに接続される２つのシェル部品（２０、３０）を備える玩具構造体（１０）であって、
前記２つのシェル部品は、その内側に、スナップ接続部（２１）を形成するように構成された互いに相補的な雄側スナップ手段（２５）及び雌側スナップ手段（３５）を備え、
前記２つのシェル部品は、前記雄側スナップ手段（２５）と前記雌側スナップ手段（３５）とが相互接続されると互いに当接する、相補的に構成された当接面を有し、
前記雄側スナップ手段（２５）及び前記雌側スナップ手段（３５）は、前記雄側スナップ手段に構成された外側螺旋状凸部（２４）と、前記外側螺旋状凸部（２４）に対して相補的に構成され且つ前記雌側スナップ手段に構成された内側螺旋状凸部（３４）とを有し、
前記雄側スナップ手段（２５）の前記外側螺旋状凸部（２４）は、前記雌側スナップ手段（３５）の前記内側螺旋状凸部（３４）に係合するように構成され、
前記２つのシェル部品は、互いに係合することで前記２つのシェル部品が互いに対して回転不可能であるように構成された回転防止手段を形成する第１の係合部及び第２の係合部を備えることを特徴とする、玩具構造体。
【請求項２】
前記玩具構造体（１０）は、少なくとも２つのスナップ接続部（２１）を備え、前記第１の係合部及び前記第２の係合部はそれぞれ、該少なくとも２つのスナップ接続部（２１）のうちの１つのスナップ接続部（２１）の雄側スナップ手段（２５）及び雌側スナップ手段（３５）であることを特徴とする、請求項１に記載の玩具構造体。
【請求項３】
前記２つのシェル部品（２０、３０）のそれぞれは、それらの外周部（２２、３２）に沿って、フランジ又は凹部（２３、３３）の形態で相補的に構成された当接面を有し、前記第１の係合部及び前記第２の係合部はそれぞれ、該フランジ（２３）及び該凹部（３３）であることを特徴とする、請求項１又は２に記載の玩具構造体。
【請求項４】
前記雄側スナップ手段（２５）は、外面（２６）を有する筒形突出部を含み、
前記雄側スナップ手段の前記外面（２６）の外径は、前記シェル部品（２０）の反対側の前記雄側スナップ手段の自由端部（２８）において最小であることを特徴とする、請求項１〜３のいずれか１項に記載の玩具構造体。
【請求項５】
前記雄側スナップ手段（２５）は、均一な直径の円筒形キャビティ、又は、前記シェル部品（２０）の最も近くにおいて最小径を有し且つ自由端部（２８）において最大径を有する円錐台形キャビティのいずれかである内面（２７）を有することを特徴とする、請求項１〜４のいずれか１項に記載の玩具構造体。
【請求項６】
前記雌側スナップ手段（３５）は、スナップ接続部（２１）を形成するように前記雄側スナップ手段（２５）に対して相補的な構成を有し、
前記雌側スナップ手段（３５）は、内面（３７）を有する筒形突出部を含み、
前記雌側スナップ手段（３５）の前記内面（３７）の内径は、前記シェル部品（３０）において最小であり、前記シェル部品（３０）の反対側の前記雌側スナップ手段の自由端部（３８）において最大であることを特徴とする、請求項１〜５のいずれか１項に記載の玩具構造体。
【請求項７】
前記雌側スナップ手段（３５）は、均一な直径を有する円筒形、又は、前記雌側スナップ手段（３５）の末端部（３８）において最小径を有する円錐台形のいずれかである外面（３６）を有することを特徴とする、請求項１〜６のいずれか１項に記載の玩具構造体。
【請求項８】
前記雌側スナップ手段（３５）の筒形突出部の内面（３７）は、少なくとも螺旋状凸部（３４）を有し、前記雄側スナップ手段の筒形突出部の外面（２６）は、少なくとも１つの螺旋状凸部（２４）を有することを特徴とする、請求項１〜７のいずれか１項に記載の玩具構造体。
【請求項９】
前記玩具構造体（１０）は、相補的に構成された結合手段を備える玩具組立要素と相互接続されるように構成された１つ又は複数の結合手段（１１、１２）を備えることを特徴とする、請求項１〜８のいずれか１項に記載の玩具構造体。
【請求項１０】
前記玩具構造体（１０）は、プラスチック材料で構成され、射出成形によって作製されることを特徴とする、請求項１〜９のいずれか１項に記載の玩具構造体。
【発明の詳細な説明】
【技術分野】
【０００１】
本発明は、少なくとも１つのスナップ接続部によって互いに接続される２つのシェル部品を備える構造体（structure）であって、２つのシェル部品は、その内側に、スナップ接続部を形成するように構成された互いに相補的な雄側スナップ手段及び雌側スナップ手段を備え、２つのシェル部品は、雄側スナップ手段と雌側スナップ手段とが相互接続される場合に互いに当接し且つ相補的に構成された当接面を有する、構造体に関する。
【背景技術】
【０００２】
シェル部品から構造体を組み立てることは一般に知られている。また、２つのシェル部品の相互接続に関して、スナップ接続部を用いることも知られている。スナップ接続部は、２つの相補的な円筒形スナップ手段によって構成される。スナップ接続部は、スナップ手段の長手方向に、一時的な変形を可能にするスリットを有して構成され、それにより、凸部及び凹部をそれぞれ有する２つの相補的なスナップ手段が互いに係合することが可能になる。
【０００３】
しかしながら、既知のスナップ接続部の構成では、スナップ手段を有する成形シェル部品が金型から取り外される製造プロセスに関して、複雑な工具及び／又は作業手順が必要となる。
【発明の概要】
【発明が解決しようとする課題】
【０００４】
したがって、本発明の目的は、構造体を形成するための２つのシェル部品の恒久的な相互接続（permanent interconnection）のための代替的な構成を提供することであって、それにより、プラスチック成形による構造体の製造がより簡単になる。
【課題を解決するための手段】
【０００５】
これは、上述した前記雄側スナップ手段及び前記雌側スナップ手段が、前記雄側スナップ手段に構成された外側螺旋状凸部と、前記雌側スナップ手段に構成された、前記外側螺旋状凸部に対して相補的に構成された内側螺旋状凸部とを有し、前記雄側スナップ手段の前記外側螺旋状凸部が、前記雌側スナップ手段の前記内側螺旋状凸部に係合するように構成されることにおいて達成され、また、該構造体が、少なくとも１つのスナップ接続部を形成するように前記雄側スナップ手段と前記雌側スナップ手段とが相互接続されると、前記２つのシェル部品が互いに対して回転不可能であるように構成された回転防止手段を備えることにおいて達成される。
【０００６】
本発明の一実施形態によれば、該構造体は、少なくとも２つのスナップ接続部を備え、その結果、前記雄側スナップ手段と前記雌側スナップ手段とが相互接続されると、前記２つのシェル部品が互いに対して回転することができない。
【０００７】
本発明の一実施形態によれば、前記２つのシェル部品のそれぞれは、それらの外周部に沿って、フランジ又は凹部の形態で相補的に構成された当接面を有し、その結果、前記雄側スナップ手段と前記雌側スナップ手段とが相互接続されると、前記２つのシェル部品が互いに対して回転することができない。
【０００８】
本発明の一実施形態によれば、前記雄側スナップ手段は、外面を有する筒形（tubular）突出部を含み、前記雄側スナップ手段の前記外面の外径は、前記シェル部品の反対側の該雄側スナップ手段の前記自由端部において最小である。
【０００９】
本発明の一実施形態によれば、前記雄側スナップ手段は、均一な直径の円筒形キャビティ、又は、シェル部品の最も近くにおいて最小径を有し且つ前記自由端部において最大径を有する円錐台形のいずれかである内面を有する。
【００１０】
本発明の一実施形態によれば、前記雌側スナップ手段は、スナップ接続部を形成するように前記雄側スナップ手段に対して相補的な構成を有し、前記雌側スナップ手段は、内面を有する筒形突出部を含み、前記雌側スナップ手段の前記内面の内径は、前記シェル部品において最小であり、前記シェル部品の反対側の該雌側スナップ手段の前記自由端部において最大である。これにより、製造プロセスにおいて、スナップ手段を備えるシェル部品をプラスチック金型からより容易に分離することができることが達成される。
【００１１】
本発明の一実施形態によれば、雌側スナップ手段は外面を有し、この外面は、均一な直径を有する円筒形、又は、雌側スナップ手段の末端部において最小径を有する円錐台形のいずれかである。
【００１２】
本発明の一実施形態によれば、前記雌側スナップ手段の前記筒形突出部の前記内面は、少なくとも１つの螺旋状凸部を有し、前記雄側スナップ手段の前記筒形突出部の前記外面は、螺旋状凸部を有する。
【００１３】
本発明の一実施形態によれば、該構造体は、相補的に構成された結合手段を備える玩具組立要素と相互接続されるように構成された１つ又は複数の結合手段を備える。
【００１４】
本発明の一実施形態によれば、該構造体は、プラスチック材料で構成され、射出成形によって作製される。
【００１５】
以下、図面を参照しながら、本発明の一実施形態を更に詳細に説明する。
【図面の簡単な説明】
【００１６】
【図１】２つのシェル部品によって組み立てられる構造体の断面図及び上方から見た図を示す。
【図２】２つのシェル部品の斜視図を示す。
【図３】雄側スナップ手段及び雌側スナップ手段、並びにスナップ接続部の側面図を示す。
【図４】スナップ接続部、並びに雌側スナップ手段及び雄側スナップ手段の斜視図を示す。
【発明を実施するための形態】
【００１７】
［図面を参照した詳細な説明］
本発明は、玩具フィギュアの形態の構造体１０に関し、構造体１０は、図１では動物として示されている。
【００１８】
構造体１０は、１つ又は複数のスナップ接続部によって互いに接続される２つのシェル部品２０、３０を備える。２つのシェル部品のそれぞれは、その内側に、隠されたスナップ接続部を形成するように構成された、それぞれ相補的な筒形の雄側スナップ手段２５及び雌側スナップ手段３５を備える。２つのシェル部品は、雄側スナップ手段２５と雌側スナップ手段３５とが相互接続される場合に互いに当接する、相補的に構成された当接面を有する。
【００１９】
スナップ手段２５、３５は、１つ又は複数の螺旋状凸部２４、３４を有し、それにより、２つのスナップ手段は互いに係合可能である。
【００２０】
螺旋状凸部は、円錐螺旋状凸部と、ヘリカル凸部との双方を含む。
【００２１】
構造体１０は、１つ又は複数の回転防止手段を備え、それにより、雄側スナップ手段と雌側スナップ手段とが相互接続される場合に、２つのシェル部品は互いに対して回転不可能である。
【００２２】
回転防止手段は、構造体１０が少なくとも２つのスナップ接続部２１を備える形、又は、２つのシェル部品２０、３０が、シェル部品の外周部に沿って、図１に示されているようにそれぞれ舌部及び溝２２、３２を伴ってフランジ又は凹部の形態で相補的に構成された当接面をそれぞれ備える形で実現することができる。それにより、２つのシェル部品は互いに対して回転することができず、したがってシェル部品が意図せずに分離されることが防止される。このように、構造体は、１つ又は複数のタイプの回転防止手段を組み合わせて備えることができる。
【００２３】
構造体１０は、相補的に構成された結合手段を備える玩具組立要素と相互接続されるように構成された１つ又は複数の結合手段１１を備え、それにより、この構造体は、玩具組立セットとともに遊戯に参与することができる。
【００２４】
図２は、２つのシェル部品２０、３０を示している。第１のシェル部品２０は、シェル部品の内側に配置される３つの雄側スナップ手段２５と、シェル部品の外側に配置される結合手段１１とを備える。これに対応して、第２のシェル部品３０は、第１のシェル部品の雄側スナップ手段２５を受けるように構成された３つの雌側スナップ手段３５を備えるのが示されている。
【００２５】
２つのタイプのスナップ手段は筒形であり、雄側スナップ手段２５は、外側円筒面にねじ状凸部を有して示されている。このねじ状凸部は、例えばボルト等の円筒体の表面において螺旋状に配置された１つの長溝からなる。雌側スナップ手段は、雌ねじを有するナット等の円筒穴の内側のねじと相補的に構成されている。
【００２６】
また、スナップ接続部２１及び２つのスナップ手段２５、３５の構成は、図３及び図４にそれぞれ更に示されている。
【００２７】
雄側スナップ手段２５は、外面２６と、円筒内面２７と、自由端部２８とを有する。自由端部２８において、雄側スナップ手段２５の外面２６には螺旋状凸部２４が配置される。
【００２８】
また、雌側スナップ手段３５は、円筒外面３６と、内面３７と、自由端部３８とを有する。雌側スナップ手段３５は、この筒形の雌側スナップ手段３５の内面３７に少なくとも１つの螺旋状凸部３４を有して構成されており、螺旋状凸部３４は、雄側スナップ手段２５の外面２６の少なくとも１つの螺旋状凸部２４の相補的な構成に対応する溝を形成している。螺旋状凸部は、図示の実施形態において二周だけ延びている。
【００２９】
図３及び図４において、２つの筒形スナップ手段、すなわち雌側スナップ手段３５及び雄側スナップ手段２５がそれぞれ別個に示されるとともに、スナップ接続部２１を形成するように相互接続されて示されている。
【００３０】
雄側スナップ手段２５の外面は、その外面の最大径が自由端部２８の反対側でシェル部品２０において配置され、一方で、雄側スナップ手段２５の外径は、自由端部２８において最小であるように構成されている。同様に、雌側スナップ手段３５の内面は、その最小径がシェル部品３０に配置され、雌側スナップ手段３５の内径は、雌側スナップ手段３５の自由端部３８において最大であるように構成されている。
【００３１】
筒形の雄側スナップ手段２５は、内面２７によって形成される円筒形キャビティを備える。このキャビティの構成は、シェル部品２０の最も近くにおいて最小径を有するとともに自由端部２８において最大径を有する円錐台形キャビティとして示されている。
【００３２】
雌側スナップ手段３５の外面３６は、図３では円筒形の均一な直径を有して示されている。更なる一実施形態によれば、雌側スナップ手段の外面３６は、雌側スナップ手段３５の自由端部３８において最小径を有する円錐台形である。
【図１】
0006735749.tif 000002
【図２】
0006735749.tif 000003
【図３】
0006735749.tif 000004
【図４】
0006735749.tif 000005